(57)【要約】【課題】印字用紙巻取り装置がプリンター１に対して姿勢が多少ずれた位置に配置されている場合であっても、その姿勢を自動的に適正に修正可能として、とくに台紙なしラベルなどの印字用紙３をシワの発生なく巻き取り、またプリンター１の印字部１Ａから印字用紙３がずれることによる印字用紙３への印字の歪みや曲がりを防止可能とした印字用紙巻取り装置を提供すること。【解決手段】巻取り軸管７が巻取り軸６および台座１１に対してその相対的な姿勢を自動的に修正可能とすることに着目したもので、プリンター１に対して所定の姿勢で配置する台座１１と、台座１１に回転自在に取り付けた巻取り装置本体１２と、を有するとともに、巻取り装置本体１２は、回転駆動する巻取り軸６と、巻取り軸６に対して軸方向に移動自在であるとともに印字用紙３を巻き取り可能な巻取り軸管７と、を有することを特徴とする。【選択図】　　　　図１
2004026382.tif 000002
【特許請求の範囲】
【請求項１】
プリンターにより印字されて該プリンターから排出される印字用紙をロール状に巻き取る印字用紙巻取り装置であって、
前記プリンターに対して所定の姿勢で配置する台座と、
この台座に回転自在に取り付けた巻取り装置本体と、を有するとともに、
この巻取り装置本体は、
回転駆動する巻取り軸と、
この巻取り軸に対して軸方向に移動自在であるとともに前記印字用紙を巻き取り可能な巻取り軸管と、を有することを特徴とする印字用紙巻取り装置。
【請求項２】
前記巻取り装置本体を前記台座に対して回転自在とする回転軸を設けたことを特徴とする請求項１記載の印字用紙巻取り装置。
【請求項３】
前記巻取り軸に対して前記巻取り軸管を軸方向に移動自在とするキーを設けたことを特徴とする請求項１記載の印字用紙巻取り装置。
【発明の詳細な説明】
【０００１】
【発明の属する技術分野】
本発明は印字用紙巻取り装置にかかるもので、とくにラベルやタグなどの印字用紙をロール状に巻き取るための印字用紙巻取り装置に関するものである。
【０００２】
【従来の技術】
従来の印字用紙巻き取り装置について図５ないし図８にもとづき概説する。
図５は、任意の印字方式によるプリンター１および印字用紙巻取り装置２の概略平面図であって、プリンター１により印字されてプリンター１外に排出されてくる印字用紙３を印字用紙巻取り装置２によりロール状に巻き取る。
【０００３】
印字用紙巻取り装置２は、台座４と、巻取り用モーター５と、巻取り軸６と、巻取り軸管７と、を有する。
【０００４】
台座４は、これをプリンター１に対して所定の姿勢および相対位置に配置し、必要であれば、任意の固定機構によりプリンター１と印字用紙巻取り装置２とを一体化する。
たとえば、図６は台座４およびプリンター１の底面図であって、図示のように、台座４の側部に形成した着脱用凹部８を、プリンター１の底部の支持脚部９に係合させて、プリンター１および印字用紙巻取り装置２を一体化する。
【０００５】
プリンター１の印字部１Ａにより印字用紙３に所定情報を印字して排出側面１Ｂからプリンター１外に排出するとともに、巻取り用モーター５により巻取り軸６を回転駆動し、巻取り軸管７に印字用紙３をロール状に巻き取る。
【０００６】
こうした構成の印字用紙巻取り装置２において、印字用紙巻取り装置２がプリンター１に対して正確な姿勢に配置されていないと、プリンター１から排出されて印字用紙巻取り装置２に巻き取られる印字用紙３にシワが発生するという問題がある。
たとえば、図６に示した着脱用凹部８および支持脚部９によるような固定機構であっても、実際には互いの着脱操作のためにわずかにゆとりがあり、プリンター１と印字用紙巻取り装置２との相対位置が精密に固定されているわけではなく、巻取り軸６が印字用紙３の排出方向（移送方向）に対して直角に位置しているとは限らない。
【０００７】
さらに、印字用紙３が、下げ札といわれるタグや、剥離台紙付きのラベルなどの場合には、その剛性が所定レベル以上であるため、上述の問題はあまり顕著に発生することはないが、いわゆる台紙なしラベルという台紙がないラベルの場合には、その剛性が小さく、わずかな誤差があってもシワが発生するとともに、発生したシワ部分で印字用紙３が互いにくっついてしまう可能性があるという問題がある。
【０００８】
具体的に図７および図８は、プリンター１および印字用紙巻取り装置２の概略平面図であって、図７に示すように、印字用紙巻取り装置２の巻取り軸６が印字用紙３の排出方向（移送方向）ないしプリンター１の排出側面１Ｂに対して傾斜していて平行度が保たれていないと、印字部１Ａにおいて所定押圧力で押さえつけられている印字用紙３が巻取り軸６に巻き取られてゆくその左右側部すなわち、引っ張られ側３Ａ（図７中上側）と弛み側３Ｂ（図７中下側）とにおいて張力に差が発生し、印字用紙３にシワが発生してしまう。
【０００９】
あるいは図８に示すように、巻取り軸６が排出側面１Ｂに対して平行であっても、印字用紙３の排出方向の左右にずれていると、上述と同様に、引っ張られ側３Ａおよび弛み側３Ｂでの張力に差が生じて、シワが発生するという問題がある。
【００１０】
印字用紙３にシワが発生しない場合であっても、プリンター１の印字部１Ａに対する印字用紙３の相対位置がわずかにずれてゆき、印字位置そのものも正規の位置からずれてしまい、印字内容が歪むあるいは曲がるなどの問題も発生する可能性がある。
【００１１】
【発明が解決しようとする課題】
本発明は以上のような諸問題にかんがみなされたもので、印字用紙を適正に巻き取り、巻き取り時にシワが発生しないようにした印字用紙巻取り装置を提供することを課題とする。
【００１２】
また本発明は、印字用紙巻取り装置がプリンターに対して姿勢が多少ずれた位置に配置されているような場合であっても、その姿勢を自動的に適正に修正可能とする印字用紙巻取り装置を提供することを課題とする。
【００１３】
また本発明は、印字用紙巻取り装置をプリンターに対して正確に配置しなくても、プリンターないしプリンターから排出されてくる印字用紙に対するその姿勢を回転方向および直線方向に巻取り軸を自動的に修正するようにした印字用紙巻取り装置を提供することを課題とする。
【００１４】
また本発明は、とくに台紙なしラベルなどの印字用紙をシワの発生なく巻き取ることができる印字用紙巻取り装置を提供することを課題とする。
【００１５】
また本発明は、プリンターの印字部から印字用紙がずれることによる印字用紙への印字の歪みや曲がりを防止可能とした印字用紙巻取り装置を提供することを課題とする。
【００１６】
【課題を解決するための手段】
すなわち本発明は、印字用紙巻取り装置の巻取り軸管部分が印字用紙を巻き取るにあたり、巻取り軸および台座に対してその相対的な姿勢を自動的に修正可能とすること、すなわち、巻取り軸管を台座に対して回転自在、および巻取り軸に対して軸方向に移動自在とすることに着目したもので、プリンターにより印字されて該プリンターから排出される印字用紙をロール状に巻き取る印字用紙巻取り装置であって、上記プリンターに対して所定の姿勢で配置する台座と、この台座に回転自在に取り付けた巻取り装置本体と、を有するとともに、この巻取り装置本体は、回転駆動する巻取り軸と、この巻取り軸に対して軸方向に移動自在であるとともに上記印字用紙を巻き取り可能な巻取り軸管と、を有することを特徴とする印字用紙巻取り装置である。
【００１７】
上記巻取り装置本体を上記台座に対して回転自在とする回転軸を設けることができる。
【００１８】
上記巻取り軸に対して上記巻取り軸管を軸方向に移動自在とするキーを設けることができる。
【００１９】
本発明による印字用紙巻取り装置においては、巻取り軸管を台座に対して回転自在および巻取り軸に対して軸方向に移動自在とすることにより、印字用紙巻取り装置の巻取り軸管部分が印字用紙を巻き取るにあたり、自動的に巻取り軸および台座に対してその相対的な姿勢を修正可能とするようにしたので、印字用紙巻取り装置自体がプリンターに対して適正な状態ないし姿勢に配置されていなくても、巻取り軸管が印字用紙との間の適正な相対位置、すなわち、印字用紙の巻取り方向に直角な位置に自動的に修正され、印字用紙にシワの発生なく巻き取ることができる。
また、印字用紙の左右幅方向における張力の相違によってシワが発生しない場合であっても、プリンターの印字部における印字用紙への印字内容を歪ませたり、曲げたりすることはない。
【００２０】
【発明の実施の形態】
つぎに本発明の実施の形態による印字用紙巻取り装置１０を図１ないし図４にもとづき説明する。ただし、図５ないし図８と同様の部分には同一符号を付し、その詳述はこれを省略する。
図１は、印字用紙巻取り装置１０および前記プリンター１の一部断面側面図、図２は、印字用紙巻取り装置１０部分の一部断面平面図であって、印字用紙巻取り装置１０は、台座１１と、巻取り装置本体１２と、を有する。
【００２１】
台座１１は、前記台座４と同様に、プリンター１に対して所定の姿勢および相対位置に配置するもので、必要に応じて図６に示した前記着脱用凹部８および支持脚部９などによる固定機構を設けることもできる。
【００２２】
巻取り装置本体１２は、前記巻取り軸６および巻取り軸管７を有するとともに、図２に示すように、台座１１との間に設けた回転軸１３のまわりに台座１１に対してこれを回転自在に取り付けてある。
【００２３】
図３は、巻取り装置本体１２の一部断面平面図、図４は、図３のＩＶ−ＩＶ線断面図であって、巻取り軸６には、その軸方向にキー溝１４を形成し、巻取り軸管７にはこのキー溝１４に対して軸方向に移動自在なキー１５を設ける。
キー溝１４およびキー１５の形成部位は相対的であって、巻取り軸６にキー１５を設け、巻取り軸管７にキー溝１４を形成してもよい。
したがって、巻取り軸管７は、キー溝１４およびキー１５により巻取り軸６に対して軸方向に移動自在であるとともに、巻取り軸６の回転により印字用紙３を巻き取り可能である。
【００２４】
こうした構成の印字用紙巻取り装置１０において、たとえば図７に示したと同様に、印字用紙巻取り装置１０ないしその巻取り装置本体１２および巻取り軸６がプリンター１から排出されてくる印字用紙３の排出方向（移送方向）に対して平行ではない場合であっても、図２の点線に示すように、巻取り装置本体１２が台座１１に対して回転軸１３のまわりに回転し、印字用紙３と巻取り軸６（巻取り軸管７）との相対位置を適正なものに自動的に修正する。
あるいは、たとえば図８に示したと同様に、巻取り軸６が印字用紙３の排出方向に対して平行ではあるが左右方向にずれている場合であっても、巻取り軸管７がキー溝１４およびキー１５により巻取り軸６に対して軸方向に移動し、自動的に左右方向のズレを修正する。
【００２５】
かくして、印字用紙３が台紙なしラベルなど剛性がとくに弱いものであっても、あるいはプリンター１に対する印字用紙巻取り装置１０自体の相対的姿勢が適正ではなくても、巻取り軸６および巻取り軸管７が自動的に回転ないし移動することにより、印字用紙３の左右に張力の差を出すことなく、シワも発生させずに巻き取ることができる。
また、印字用紙３がタグや剥離台紙つきラベルなどでシワが比較的発生しにくいものの場合には、プリンター１の印字部１Ａにおける印字用紙３のズレを防止し、印字内容の歪みや曲がりを発生することはない。
【００２６】
【発明の効果】
以上のように本発明によれば、巻取り装置本体を台座に対して回転自在とし、巻取り軸管を巻取り軸に対して移動自在としたので、印字用紙巻取り装置のプリンターに対する姿勢の如何にかかわらず、シワを発生させずに印字用紙を巻き取ってゆくことができる。
【図面の簡単な説明】
【図１】本発明の実施の形態による印字用紙巻取り装置１０およびプリンター１の側面図である。
【図２】同、印字用紙巻取り装置１０部分の一部断面平面図である。
【図３】同、巻取り装置本体１２の一部断面平面図である。
【図４】図３のＩＶ−ＩＶ線断面図である。
【図５】任意の印字方式によるプリンター１および従来の印字用紙巻取り装置２の概略平面図である。
【図６】同、台座４およびプリンター１の底面図である。
【図７】同、プリンター１および印字用紙巻取り装置２の概略平面図であって、印字用紙巻取り装置２の巻取り軸６が印字用紙３の排出方向（移送方向）ないしプリンター１の排出側面１Ｂに対して傾斜していて平行度が保たれていない場合を示す。
【図８】同、プリンター１および印字用紙巻取り装置２の概略平面図であって、巻取り軸６が排出側面１Ｂに対して平行であっても印字用紙３の排出方向の左右にずれている場合を示す。
【符号の説明】
１　プリンター
１Ａ　プリンター１の印字部
１Ｂ　プリンター１の排出側面
２　印字用紙巻取り装置
３　印字用紙（ラベル、タグ、台紙なしラベルなど）
３Ａ　印字用紙３の引っ張られ側（図７、図８）
３Ｂ　印字用紙３の弛み側（図７、図８）
４　台座
５　巻取り用モーター
６　巻取り軸
７　巻取り軸管
８　着脱用凹部
９　支持脚部
１０　印字用紙巻取り装置（実施の形態、図１）
１１　台座
１２　巻取り装置本体
１３　回転軸
１４　キー溝
１５　キー
【図１】
2004026382.tif 000003
【図２】
2004026382.tif 000004
【図３】
2004026382.tif 000005
【図４】
2004026382.tif 000006
【図５】
2004026382.tif 000007
【図６】
2004026382.tif 000008
【図７】
2004026382.tif 000009
【図８】
2004026382.tif 000010